(57)【要約】【課題】所望の配索方向に沿ってワイヤハーネスＷＨを確実にガイドすることができるグロメットを提供することを目的とする。【解決手段】管状のグロメット本体１０と、グロメット本体１０における直線部１１の両端に備えたコーナーカバー１２に内在し、グロメット本体１０よりも形状保持性が高いインナー部材２０とで構成し、ワイヤハーネスＷＨを挿通するグロメット１の直線部１１を、断面円形に形成するとともに、長さ方向中央の円筒部１３と、円筒部１３の両側に設けた蛇腹部１４とで構成した。【選択図】図１
2016086520.tif 000002
【特許請求の範囲】
【請求項１】
管状のグロメット本体と、該グロメット本体における直線部の両端に備えたコーナーカバー部に内在し、前記グロメット本体よりも形状保持性が高いインナー部材とで構成し、ワイヤハーネスを挿通するグロメットであって、
前記直線部を、断面円形に形成するとともに、長さ方向中央の円筒部と、該円筒部の両側に設けた蛇腹部とで構成した
グロメット。
【請求項２】
前記円筒部を、前記直線部の長さに対して半分程度の長さに形成した
請求項１に記載のグロメット。
【請求項３】
前記コーナーカバー部の前記直線部側にストラップ装着部を設けるとともに、
該ストラップ装着部に装着し、内在する前記インナー部材に対して締め付けて固定するストラップを備えた
請求項１または２に記載のグロメット。
【請求項４】
前記インナー部材を、
取り付ける貫通孔へ嵌め込む取付け部と、ワイヤハーネスを曲げ方向にガイドするガイド空間を有する中空のハーネスガイド部とで構成し、
前記取付け部と前記ハーネスガイド部とを別体構成した
請求項１乃至３のうちいずれかに記載のグロメット。
【請求項５】
前記ハーネスガイド部を、
前記ガイド空間に対して組付ける、別体構成の組付ガイド部で構成した
請求項４に記載のグロメット。
【請求項６】
前記組付ガイド部に、前記取付け部に対して係止する係止部を備えるとともに、前記取付け部に、組み付けられた前記組付ガイド部の前記係止部が係止する被係止部を備えた
請求項５に記載のグロメット。
【発明の詳細な説明】
【技術分野】
【０００１】
この発明は、自動車における車体パネル等の隔壁に形成した貫通孔に嵌め込むインナー部材と、ワイヤハーネスを挿通する管状のグロメット本体とで構成し、ワイヤハーネスの防水性能や防塵性能を向上させるグロメットに関する。
【背景技術】
【０００２】
隔壁に形成した貫通孔に貫通させるとともに、隔壁に沿って配索されるワイヤハーネスの防水性能や防塵性能を向上させるために、隔壁に沿って取り付けられる管状のグロメット本体と、隔壁の貫通孔に対して取り付けられるインナー部材とで、ワイヤハーネスを内部に挿通するグロメットが多岐に亘って用いられている。
【０００３】
なお、近年、車両の軽量化や省スペース化に伴って、ワイヤハーネス自体のコンパクト化が求められており、配索経路に沿ってワイヤハーネスを確実に配索する必要があった。  
仮に、ワイヤハーネスが配索経路に沿って配索できない場合、コンパクト化されたワイヤハーネスは、配索長に対する余長が少ないため電子機器等の接続対象と接続できなくなり、接続対象と無理やり接続するために、ワイヤハーネスを引っ張って配索することとなる。このように、ワイヤハーネスを引っ張って配索すると、配索されたワイヤハーネスに常に引っ張り力が作用することとなり、断線したりして、電気接続性が確保できないおそれがあった。
【０００４】
また、例えば、車両のバックドアには、後部ガラスのデフォッガ、ハイマウントストップランプ、バックカメラ、電動開閉式カーテン等の数多くの電装部品が搭載されており、車両のドアなどを含めた隔壁に搭載される電装部品の複雑化、多様化に伴って電線の本数や各電線の径が増加し、これら電線を束ねて構成するワイヤハーネスの径も太くなってきている。
【０００５】
例えば、特許文献１に開示のグロメットは、蛇腹状のグロメット本体を、ゴムやエラストマーなどの形状保持性の低い材料で屈曲可能に形成しているため、径大化したワイヤハーネスを挿通した場合、グロメット本体の直線部はワイヤハーネスの形状に沿って屈曲し、配索経路に沿って配索できなくなるおそれがあった。
【０００６】
殊に、垂直な隔壁に沿って配索する場合や振動が作用する場合、径大化したワイヤハーネスは、自重や振動によって撓むため、グロメットの直線部分は、撓み変形するワイヤハーネスに沿って変形することとなる。
【０００７】
このように、ワイヤハーネスの形状に追従して直線部分が変形すると、接続対象と接続された配索状態において、撓み変形するための引っ張り力がワイヤハーネスに作用することとなり、上述したように、断線したりして、電気接続性が確保できないおそれがあった。
【先行技術文献】
【特許文献】
【０００８】
【特許文献１】特開平９−３２２３６１号公報
【発明の概要】
【発明が解決しようとする課題】
【０００９】
そこで、この発明は、所望の配索方向に沿ってワイヤハーネスを確実にガイドすることができるグロメットを提供することを目的とする。
【課題を解決するための手段】
【００１０】
この発明は、管状のグロメット本体と、該グロメット本体における直線部の両端に備えたコーナーカバー部に内在し、前記グロメット本体よりも形状保持性が高いインナー部材とで構成し、ワイヤハーネスを挿通するグロメットであって、前記直線部を、断面円形に形成するとともに、長さ方向中央の円筒部と、該円筒部の両側に設けた蛇腹部とで構成したことを特徴とする。
【００１１】
この発明により、所望の配索経路に沿ってワイヤハーネスをグロメットで確実にガイドすることができる。  
詳述すると、管状のグロメット本体における直線部の両端に備えたコーナーカバー部に内在し、前記グロメット本体よりも形状保持性が高いインナー部材によって、ワイヤハーネスを所望の配索方向に曲げるとともに、曲げ状態を確実に保持することができる。
【００１２】
また、前記直線部によって、配索方向に向かって曲げられたワイヤハーネスを配索方向に沿ってガイドするが、直線部を断面剛性の高い断面円形に形成しているため、断面のいずれの方向に対しても直線部が意図せずに変形することなく、確実にワイヤハーネスをガイドすることができる。
【００１３】
また、前記直線部を、長さ方向中央の円筒部と、該円筒部の両側に設けた蛇腹部とで構成しているため、つまり円筒部とインナー部材との間に変形性の高い蛇腹部を配置しているため、インナー部材によって配索方向に向けて曲げられたワイヤハーネスの曲げ形状に沿って蛇腹部が変形することで、ワイヤハーネスを屈曲させたり、余分な負荷をかけることなく、ワイヤハーネスを円筒部までガイドすることができる。
【００１４】
さらに、蛇腹部によって、円筒状の円筒部までガイドされたワイヤハーネスが、仮に自重や振動などによって変形しても、蛇腹部を介して、形状保持性の高いインナー部材に支持された円筒部は、ワイヤハーネスの変形に追従することなく、確実に支持することができる。
【００１５】
詳しくは、グロメットに挿通されるとともに、形状保持性の高いインナー部材によって配索方向に曲げられ、そして、直線部の内部に配置されたワイヤハーネスは、形状保持性の高いインナー部材によって配索方向に曲げられた両側が支持された単純梁構造となり、直線部の内部に配置された部分の中央が最も撓み変形しやすくなる。しかしながら、もっとも撓み変形やすい中央部分を、変形しにくい円筒部で支持しているため、自重や振動によって撓み変形することなく、確実にガイドでき、自重や振動に起因する撓み変形によってワイヤハーネスに引っ張り力が作用することを防止することができる。
【００１６】
このように、インナー部材によって配索方向に向けて曲げられたワイヤハーネスに余分な負荷を作用させたり、ワイヤハーネスを屈曲させたりすることなく蛇腹部によって円筒部までガイドするとともに、ワイヤハーネスの変形に追従することのない円筒部によってより確実に支持でき、ワイヤハーネスの電気接続性を維持することができる。
【００１７】
この発明の態様として、前記円筒部を、前記直線部の長さに対して半分程度の長さに形成することができる。  
この発明により、インナー部材によって配索方向に向けて曲げられたワイヤハーネスに余分な負荷を作用させたり、ワイヤハーネスを屈曲させたりすることなく蛇腹部によって円筒部までガイドするとともに、ワイヤハーネスの変形に追従することのない円筒部によって確実に支持でき、ワイヤハーネスの電気接続性を維持することができる。
【００１８】
詳しくは、前記円筒部を、前記直線部の長さに対して半分程度の長さより長くすると、直線部の両側に配置した蛇腹部が短くなるため、ワイヤハーネスの形状に沿うための変形許容量が少なくなり、インナー部材によって配索方向に向けて曲げられたワイヤハーネスを直線部にガイドする際に、ワイヤハーネスに余分な負荷を作用させたり、ワイヤハーネスを屈曲させたりするおそれがある。逆に、前記円筒部を、前記直線部の長さに対して半分程度の長さより短くすると、直線部の両側に配置した蛇腹部が長くなるため、自重や振動によるワイヤハーネスの変形に沿って蛇腹部が変形し、つまり変形しにくい直線部全体がワイヤハーネスの変形に追従することとなり、ワイヤハーネスを確実に支持することができないおそれがある。
【００１９】
これに対し、前記円筒部を、前記直線部の長さに対して半分程度の長さに形成することによって、インナー部材によって配索方向に向けて曲げられたワイヤハーネスに余分な負荷を作用させたり、ワイヤハーネスを屈曲させたりすることなく蛇腹部によって円筒部までガイドするとともに、ワイヤハーネスの変形に追従することのない円筒部によって確実に支持して、ワイヤハーネスの電気接続性を確実に維持することができる。
【００２０】
またこの発明の態様として、前記コーナーカバー部の前記直線部側にストラップ装着部を設けるとともに、該ストラップ装着部に装着し、内在する前記インナー部材に対して締め付けて固定するストラップを備えることができる。
【００２１】
上記ストラップは、いわゆるストラップのみならず、タイラップや結束バンドなどの締め付けのための専用材、あるいは、針金や番線などの汎用材など形状や構造は問わず、所定の締め付け状態を維持できるものを含む概念である。
【００２２】
この発明により、前記ストラップ装着部に対して、内在する前記インナー部材を確実に固定し、上述したような直線部における効果を確実に実現することができる。  
仮に、前記コーナーカバー部から前記インナー部材が外れると、貫通孔に装着されたインナー部材とコーナーカバー部との間でワイヤハーネスが露出したり、水分や粉塵が侵入したりして、確実に内部に挿通するワイヤハーネスを保護することができなくなる。逆に、インナー部材が前記コーナーカバー部より直線部側に進入する態様で外れた場合、直線部を構成する蛇腹部が十分に機能しなくなるおそれがある。
【００２３】
これに対し、内在する前記インナー部材に対して締め付けて固定するストラップを該ストラップ装着部に装着することによって、前記コーナーカバー部に対して、内在する前記インナー部材を確実に固定できるため、防止性や防塵性を確保しながら、インナー部材によって配索方向に向けて曲げられたワイヤハーネスに余分な負荷を作用させたり、ワイヤハーネスを屈曲させたりすることなく蛇腹部によって円筒部までガイドするとともに、ワイヤハーネスの変形に追従することのない円筒部によって確実に支持でき、ワイヤハーネスの電気接続性を維持することができる。
【００２４】
またこの発明の態様として、前記インナー部材を、取り付ける貫通孔へ嵌め込む取付け部と、ワイヤハーネスを曲げ方向にガイドするガイド空間を有する中空のハーネスガイド部とで構成し、前記取付け部と前記ハーネスガイド部とを別体構成することができる。
【００２５】
この発明によれば、所望の配索方向にワイヤハーネスを確実にガイドすることができるとともに、ワイヤハーネスに負荷をかけずにスムーズに挿通することができる。  
詳述すると、上述した構成によれば、前記インナー部材を、隔壁に形成した貫通孔へ取り付ける取付け部と、ワイヤハーネスをガイドするハーネスガイド部とが別体構成であるため、ワイヤハーネスを挿通し、嵌め込み方向と異なる配索方向へ曲げてガイドする前記ハーネスガイド部と、隔壁の貫通孔に取り付けた取付け部とを合体させる、つまり一体化させることで、貫通孔を貫通し、所定の配索経路に沿って配索させるワイヤハーネスをスムーズに曲げて配索することができる。したがって、ハーネスガイド部と取付け部とが一体化されたインナー部材にワイヤハーネスを挿通する場合や、ハーネスガイド部と取付け部とが一体化され、貫通孔に装着されたインナー部材にワイヤハーネスを挿通する場合にくらべて、容易かつ、余分な負荷を作用させることなく、ワイヤハーネスを配索経路に沿うように曲げてガイドすることができる。
【００２６】
またこの発明の態様として、前記ハーネスガイド部を、前記ガイド空間に対して組付ける、別体構成の組付ガイド部で構成することができる。  
この発明により、長尺状のワイヤハーネスを挿通させることなく、ワイヤハーネスに対して別体構成の組付ガイド部を組付けるだけで、前記ハーネスガイド部にワイヤハーネスを挿通することができる。
【００２７】
またこの発明の態様として、前記組付ガイド部に、前記取付け部に対して係止する係止部を備えるとともに、前記取付け部に、組み付けられた前記組付ガイド部の前記係止部が係止する被係止部を備えることができる。
【００２８】
この発明により、組み付けてハーネスガイド部を構成する前記組付ガイド部の組み付け状態を、取付け部に取り付け、係止部と被係止部とを係止させることで確実に保持することができる。
【発明の効果】
【００２９】
この発明により、所望の配索方向に沿ってワイヤハーネスを確実にガイドすることができるグロメットを提供することができる。
【図面の簡単な説明】
【００３０】
【図１】グロメットの分解斜視図。
【図２】グロメットの取り付け状態を示す説明図。
【図３】グロメットの端部側の縦断面図。
【図４】インナー部材の斜視図。
【図５】インナー部材の分解斜視図。
【図６】インナー部材の分解斜視図による説明図。
【図７】インナー部材の構成説明図。
【図８】インナー部材の構成説明図。
【図９】グロメットの貫通孔への取り付け手順の説明図。
【発明を実施するための形態】
【００３１】
この発明の一実施形態を以下図面に基づいて詳述する。  
【００３２】
本実施形態のグロメット１は、図１乃至図８に示すように、ワイヤハーネスＷＨの挿通を許容する挿通孔１Ｈを有する管状のグロメット本体１０と、該グロメット本体１０の両端部に備えたインナー部材２０とで構成している。
【００３３】
なお、図１は、グロメット本体１０の一端側のインナー部材２０を分離した状態のグロメット１の分解斜視図を示し、図２（ａ）は両端部を隔壁１００に取り付けた状態のグロメット１の正面図を示し、図２（ｂ）は同状態のグロメット１の平面図を示している。
【００３４】
図３は使用状態におけるグロメット１の端部における幅方向Ｗの中間部分の拡大縦断面図を示し、図４はインナー部材２０を先端開口部３０Ｈａに向かって右斜め上方から視た斜視図を示し、図５はインナー部材２０をガイド部３０と取付け部４０とに分解してガイド部構成部品３０Ｐにおける先端開口部３０Ｈａと反対側から向かって左斜め上方から視た分解斜視図を示している。
【００３５】
図６（ａ）はインナー部材２０を各構成部品ごとに分解して上方から視た分解斜視図を示し、図６（ｂ）はインナー部材２０を分解して下方から視た分解斜視図を示している。また、図７（ａ）はインナー部材２０の平面図を示し、図７（ｂ）はＸ部を拡大して示すとともに、インナー部材２０を先端開口部３０Ｈａ側から視た左側面図を示し、図７（ｃ）はインナー部材２０の底面図を示している。
【００３６】
さらに、図８（ａ）は図７（ａ）に示すＡ−Ａ線断面図を示し、図８（ｂ），（ｃ），（ｄ）はそれぞれ図７（ａ）に示すＢ１−Ｂ１線、Ｂ２−Ｂ２線、Ｂ３−Ｂ３線における各部の断面の断面図を示し、図８（ｅ）は図７（ｂ）におけるＣ−Ｃ線断面図を示している。
【００３７】
以下の説明において記載する嵌め込み方向Ｚは図３における下方向を示し、嵌め込み方向Ｚの反対側を図３における上方向を示すものとする。さらに、嵌め込み方向Ｚに沿ってインナー部材２０の中心を通過する軸を嵌め込み方向Ｚに沿った中心軸とする。
【００３８】
グロメット本体１０は、両端部の内部にワイヤハーネスＷＨを挿通するインナー部材２０を内部に有するとともに、直線状且つ断面円形状の直線部１１と、該直線部１１の長手方向の両端部に配置したコーナーカバー１２とで構成するとともに、例えば、ゴムや軟質樹脂などにより一体に構成している。また、直線部１１は、円筒状の円筒部１３と、円筒部１３の両側に配置され、蛇腹状に形成した蛇腹部１４とで構成している。
【００３９】
なお、本実施形態では、例えば、図２（ａ），（ｂ）に示すように、グロメット本体１０の両端部のコーナーカバー１２に内在させたインナー部材２０を、車両における固定パネルなどの固定隔壁１０１に形成した貫通孔１１０の縁部１１１や、例えば、ドアパネル（可動パネル）などの可動隔壁１０２に形成した貫通孔１１０の縁部１１１に嵌挿して取り付けるとともに、その間を連結するように配置されたグロメット本体１０でグロメット１を配索し、内部に挿通したワイヤハーネスＷＨを保護している。
【００４０】
グロメット本体１０を構成する直線部１１は、隔壁１００（１０１，１０２）に沿って配置した状態において、管軸方向Ｘａに対して直交する直交断面を、円形状に形成し、直線部１１の半分程度の長さに形成した円筒部１３と、その両側に配置した蛇腹部１４とで構成している。換言すると、蛇腹部１４は、円筒部１３とコーナーカバー１２との間に配置されている。蛇腹部１４と円筒部１３とは同一材料で構成するとともに、略同径で形成しているものの、蛇腹構造によって、蛇腹部１４は円筒部１３より変形が高い。
【００４１】
直線部１１の両側に配置されたコーナーカバー１２は、図３に示すように、内在させるインナー部材２０よりひとまわり大きな略相似形であり、インナー部材２０を外装した状態でインナー部材２０における後述する上面フランジ部４３に対して嵌装可能な大径に形成した開口端大径部１２ａを有するとともに、開口端大径部１２ａの周方向全体から、貫通孔１１０の縁部１１１に弾性接触可能に突出したシールリップ部１２ｂを備えている。
【００４２】
また、コーナーカバー１２において、内在するインナー部材２０におけるガイド部３０のガイド先端部３３に対応する箇所には、後述するストラップ５０を装着するストラップ装着溝１５を形成している。
【００４３】
なお、ストラップ装着溝１５は、図２（ａ）に示すように、コーナーカバー１の開口端大径部１２ａの管軸方向Ｘａの内側端部より管軸方向Ｘａの外側、つまり図２（ｂ）に示すように、開口端大径部１２ａの外周縁より平面視内側に配置されている。
【００４４】
グロメット本体１０のコーナーカバー１２に内在させるインナー部材２０は、車体パネルなどの隔壁１００に形成した貫通孔１１０へ嵌め込んで該貫通孔１１０の縁部１１１に取り付ける取付け部４０と、ワイヤハーネスＷＨを曲げた状態でガイドするガイド部３０とを組付けて構成している。
【００４５】
インナー部材２０は、取付け部４０とガイド部３０とに亘ってワイヤハーネスＷＨを挿通するインナー挿通孔２０Ｈを有する筒状に形成するとともに、グロメット本体１０よりも高い形状保持性を有する、例えば、硬質樹脂により形成している。
【００４６】
上述したように、ガイド部３０とともにインナー部材２０を構成する取付け部４０は、例えば、図３乃至図５に示すように、隔壁１００の貫通孔１１０にグロメット１を取り付けるための部材であり、長孔形状の貫通孔１１０に嵌め込み可能に、角円長方形状の筒状に形成した嵌挿部４２と、該嵌挿部４２の上面を構成するとともに、嵌挿部４２の平面形状より大きな相似形状で、嵌挿部４２の上端部から貫通孔１１０よりも径外方向に一回り大きな鍔状に形成した上面フランジ部４３とで一体に構成し、内部に取付け部側挿通孔４０Ｈを形成している。
【００４７】
嵌挿部４２は、外周面における長軸方向の両端部と短軸方向の両端部に相当する箇所に、隔壁１００に形成した貫通孔１１０の縁部１１１に下方から係合可能に上方に向けて突出する隔壁係合突片４４を備えている。
【００４８】
上面フランジ部４３は、平面視中央に、内部に形成された取付け部側挿通孔４０Ｈと連通する隔壁取付け側連通口４０Ｈｂを有するとともに、隔壁取付け側連通口４０Ｈｂの幅方向Ｗの両側に、組み付け状態のガイド部３０の部材間係合突爪３１が挿入され、部材間係合突爪３１とともに部材間係合手段２１を構成する部材間係合凹部４１を形成している。
【００４９】
さらに、上面フランジ部４３は、周方向における隔壁係合突片４４に相当する箇所に、隔壁係合突片４４の貫通孔１１０の縁部１１１に対する係合状態を解除可能に切欠いた切欠き部４５を形成している。
【００５０】
取付け部４０と組み付けられてインナー部材２０を構成するガイド部３０は、図３、及び図５に示すように、取付け部４０側に対して上方へ筒状に突出し、正面視略平行四辺形状のガイド本体部３２と、該ガイド本体部３２よりも先端側に略水平に突出するガイド先端部３３とで一体に形成し、ガイド側挿通孔３０Ｈは、ガイド本体部３２とガイド先端部３３との内部において互いに連通している。
【００５１】
ガイド本体部３２は、角円長方形状の直交断面で形成した基部側から嵌め込み方向Ｚの逆方向に向かって、長軸方向の一方側に徐々に傾くように偏心するとともに、長軸方向の長さが徐々に小さくなる錐台状かつ、正面視略平行四辺形状に形成している。
【００５２】
ガイド先端部３３は、ガイド本体部３２の先端側上部から略水平状に突出する、鉛直方向断面が円形となる横向きの円筒状であり、先端側外周における、グロメット本体１０のストラップ装着溝１５に対応する位置に、ストラップ装着溝１５に装着されたストラップ５０によって締め付けられる締め付け溝３６を形成している。
【００５３】
なお、図３に示すように、締め付け溝３６は、ストラップ５０の幅に比べてひと回り幅広に形成したストラップ装着溝１５に比べて、同程度の溝深さであるものの、約１．５〜２．０倍程度の幅で形成している。  
また、ストラップ装着溝１５に対応する位置に形成された締め付け溝３６は、図７（ａ），（ｃ）に示すように、取付け部４０の上面フランジ部４３の管軸方向Ｘａの内側に形成された切欠き部４５の上方に配置されている。
【００５４】
このように構成したガイド部３０は、対称形状であるふたつのガイド部構成部品３０Ｐを組付けて構成している。ガイド部構成部品３０Ｐａ，３０Ｐｂは、図５に示すように、ガイド側挿通孔３０Ｈの孔形成方向の両端部を該ガイド側挿通孔３０Ｈの内周面に沿って結ぶ例えば、平面状の仮想の分割面Ｆで２分割するように形成するとともに、互いに組み付け可能に形成した一対の対称形状で形成している。
【００５５】
より詳しくは、ガイド部構成部品３０Ｐは、幅方向Ｗ（厚み方向）の中間部分に沿った仮想の分割面Ｆでインナー部材２０の幅方向の中間部分に対して一方側のガイド部構成部品３０Ｐａと他方側のガイド部構成部品３０Ｐｂとの２等分割するように形成した２部材で構成している。
【００５６】
これにより、組み付けてガイド部３０を構成する一対構成のガイド部構成部品３０Ｐのうち一方のガイド部構成部品３０Ｐａには、ガイド側挿通孔３０Ｈの内周面の一方の片側半分の内周面が形成され、他方のガイド部構成部品３０Ｐｂには、ガイド側挿通孔３０Ｈの内周面の他方の片側半分の内周面が形成される。
【００５７】
さらに、図６（ａ），（ｂ）に示すように、インナー部材２０における一対のガイド部構成部品３０Ｐａ，３０Ｐｂ同士の組み付け箇所には、該一対のガイド部構成部品３０Ｐａ，３０Ｐｂを互いに組み付けた状態に係合する構成部品間係合手段３５を形成している。
【００５８】
構成部品間係合手段３５は、図６（ａ），（ｂ）、図８（ａ），（ｂ），（ｃ）に示すように、一対のガイド部構成部品３０Ｐａ，３０Ｐｂが互いに対向する対向端部同士が突き合わさった組み付け状態でガイド部３０の先端側を係合可能に形成している。
【００５９】
さらに、構成部品間係合手段３５は、ガイド部構成部品３０Ｐａにおけるガイド部構成部品３０Ｐｂとの対向部分において他方へ突出して形成した構成部品間係合突片３５ａと、ガイド部構成部品３０Ｐｂにおけるガイド部構成部品３０Ｐａとの対向部分において、構成部品間係合突片３５ａに対して係合可能に形成した構成部品間係合凹部３５ｂとで構成している。
【００６０】
そして、図５に示すように、取付け部４０と組み付けてインナー部材２０を構成するガイド部３０における取付け部４０との係合箇所には、取付け部４０に形成した部材間係合凹部４１に対して係合する部材間係合突爪３１を備えており、部材間係合突爪３１と部材間係合凹部４１とによって、一対構成されたガイド部構成部品３０Ｐを互いに組み付けた状態で取付け部４０に対して係合する部材間係合手段２１を構成している。
【００６１】
部材間係合手段２１（３１，４１）は、図５、図６（ａ），（ｂ）、図８（ｃ），（ｄ）に示すように、ガイド部３０と取付け部４０との係合箇所、すなわち、ガイド部３０の下端側に相当するガイド側連通口３０Ｈｂの周縁部と取付け部４０の上端側に相当する隔壁取付け側連通口４０Ｈｂの周縁部との対向箇所において、ガイド側連通口３０Ｈｂの外周縁部から取付け部４０へ突出して形成した部材間係合突爪３１と、隔壁取付け側連通口４０Ｈｂの周縁部に部材間係合突爪３１に対して係合可能に形成した部材間係合凹部４１とで構成している。
【００６２】
また、取付け部４０とガイド部３０における互いの組み付け箇所は、図４に示すように、嵌め込み方向Ｚに沿った中心軸に対する外周面を略角円長方形状でそれぞれ形成するとともに、互いに段違い形状となるように形成している。  
なお、前記角円長方形状とは、長方形状の短辺部が外側に円弧状に膨らむように形成した形状を示す。
【００６３】
さらに、ガイド部３０と取付け部４０とは、図７（ａ）に示すように、構成部品間係合手段３５、及び部材間係合手段２１により一体に組み付けた状態において、嵌め込み方向Ｚに対して直交する直交断面において、それぞれの長軸Ｌ１，Ｌ２同士が例えば、５度程度のなす角θで互いに交差するように配設している。
【００６４】
これに伴い、図７（ｃ）に示すように、長穴形状で形成したガイド側挿通孔３０Ｈと取付け部側挿通孔４０Ｈとのそれぞれの長軸が５度程度のなす角θで互いに交差するように連通している。
【００６５】
また、図３、及び図８（ｅ）に示すように、前記ガイド側挿通孔３０Ｈは、貫通孔１１０に対して取付け部４０を嵌め込む嵌め込み方向Ｚと、該嵌め込み方向Ｚに対して直交方向Ｘとの間でワイヤハーネスＷＨの配索方向を転換可能な孔形状で形成している。
【００６６】
換言すると、ガイド側挿通孔３０Ｈは、ワイヤハーネスＷＨを配索するハーネス配索方向として、貫通孔１１０に対して取付け部４０を嵌め込む嵌め込み方向Ｚの成分と、直交する直交方向Ｘの成分とを有した孔形状に形成している。
【００６７】
上記構成により、ガイド側挿通孔３０Ｈにおけるガイド本体部３２に相当する箇所は、嵌め込み方向Ｚの成分と、直交する直交方向Ｘの成分との間でワイヤハーネスＷＨの配索方向を変更可能に、ワイヤハーネスＷＨをガイド可能な内部空間に形成している。
【００６８】
さらに、ガイド先端部３３は、ガイド本体部３２における長軸方向の一方側に傾く側の先端部から長軸方向の一方側へ向けて突出する円筒状に形成していため、ガイド側挿通孔３０Ｈにおけるガイド先端部３３に相当する箇所は、直交する直交方向Ｘの成分にワイヤハーネスＷＨが配索されるようにガイド可能に形成している。
【００６９】
上述した構成により、ガイド側挿通孔３０Ｈは、ガイド先端部３３の内部においては、嵌め込み方向Ｚに対して直交する直交方向ＸにワイヤハーネスＷＨをガイド可能な成分を有するとともに、ガイド本体部３２の内部においては、嵌め込み方向Ｚと、直交する直交方向ＸとにワイヤハーネスＷＨをガイド可能な成分を有する孔形成方向で形成している。  
また、ガイド先端部３３の先端部には、円形状の先端開口部３０Ｈａを形成している。
【００７０】
このようにガイド部３０と取付け部４０とを組付けて構成したインナー部材２０の内部に形成されるインナー挿通孔２０Ｈは、ガイド部３０に形成されたガイド側挿通孔３０Ｈと、取付け部４０の側に形成された取付け部側挿通孔４０Ｈとで構成されているおり、ガイド側挿通孔３０Ｈは、ガイド部３０に形成された先端開口部３０Ｈａで開口するとともに、取付け部側挿通孔４０Ｈは、取付け部４０の下方で開口し、さらには、ガイド側挿通孔３０Ｈと取付け部側挿通孔４０Ｈとは、ガイド部３０と取付け部４０との境界部分（接続箇所）において、互いに連通している。
【００７１】
ガイド側挿通孔３０Ｈにおける取付け部側挿通孔４０Ｈに対して連通する連通口をガイド側連通口３０Ｈｂに設定するとともに、取付け部側挿通孔４０Ｈにおけるガイド側挿通孔３０Ｈに対して連通する連通口を隔壁取付け側連通口４０Ｈｂに設定する（図３参照）。
【００７２】
このように構成したガイド部３０と取付け部４０とを組付けるとともに部材間係合手段２１で係合させて構成したインナー部材２０は、グロメット本体１０のコーナーカバー１２の内部に配置されると、ストラップ装着溝１５と締め付け溝３６が対応する位置となる。そして、この状態で、ストラップ装着溝１５に対してストラップ５０を締め付けるように装着することで、ストラップ５０による締め付け圧力によってストラップ装着溝１５より内側部分が縮径して、ガイド部３０のガイド先端部３３に形成した締め付け溝３６に食い込み、コーナーカバー１２に対してガイド部３０を、つまりインナー部材２０を固定することができる。
【００７３】
なお、図３に示すように、締め付け溝３６を、ストラップ５０の幅に比べてひと回り幅広に形成したストラップ装着溝１５に比べて、同程度の溝深さであるものの、約１．５〜２．０倍程度の幅で形成しているため、ストラップ５０による締め付け圧力によって縮径したストラップ装着溝１５より内側部分が締め付け溝３６に嵌り込み、確実に固定することができる。
【００７４】
また、ストラップ５０を装着するストラップ装着溝１５を、開口端大径部１２ａの外周縁より平面視内側に配置するとともに、ガイド部３０の締め付け溝３６をストラップ装着溝１５に対応する位置に配置しているため、ストラップ５０を装着するストラップ装着溝１５や締め付け溝３６の上面フランジ部４３から斜め上方に突出する突出量が抑えられる。
【００７５】
したがって、上面フランジ部４３に対して、ガイド本体部３２によって片持ち状態で支持されているストラップ装着溝１５や締め付け溝３６がグロメット本体１０の蛇腹部１４の変形に伴って変形し、ストラップ装着溝１５からストラップ５０が外れることを確実に防止することができる。
【００７６】
続いて、ワイヤハーネスＷＨを車体に配索する際において、上述した本実施形態のグロメット１にワイヤハーネスＷＨを挿通するとともに、該グロメット１を隔壁１００における貫通孔１１０に取り付ける手順の一例について、図３、図８（ｅ）、及び図９を用いて説明する。
【００７７】
なお、図９はグロメット１の挿通孔１ＨにワイヤハーネスＷＨを挿通した状態でグロメット１の一端側に備えたインナー部材２０を隔壁１００に形成した貫通孔１１０に嵌挿する手順を説明する説明図を示している。
【００７８】
但し、グロメット本体１０の一端側と他端側とは、それぞれに備えたインナー部材２０を貫通孔１１０に取り付ける手順は同じであるため、一端側に備えたインナー部材２０を貫通孔１１０に取り付ける手順についてのみ説明し、他端側についてはその手順の説明を省略する。
【００７９】
まず、インナー部材２０は、グロメット本体１０におけるコーナーカバー１２から予め分離させておき、さらに、一対構成のガイド部構成部品３０Ｐａ，３０Ｐｂのそれぞれと取付け部４０との３つに分離させておく（図６（ａ）参照）。
【００８０】
まず、図９（ａ）に示すように、ワイヤハーネスＷＨをグロメット本体１０に挿通させ、ワイヤハーネスＷＨにおける、グロメット本体１０の一端側から外側へ配索される部分に対して両側に、一対のガイド部構成部品３０Ｐａ，３０Ｐｂのそれぞれを対向配置させる。
【００８１】
この状態から一対のガイド部構成部品３０Ｐａ，３０Ｐｂを互いの対向端部が突き合わさるように近接させることで、一方のガイド部構成部品３０Ｐａに形成した構成部品間係合突片３５ａを他方のガイド部構成部品３０Ｐｂに形成した構成部品間係合凹部３５ｂに差し込んで互いに係合する。これにより、図９（ｂ）に示すように、ガイド部構成部品３０Ｐは、ガイド側挿通孔３０ＨにワイヤハーネスＷＨを挿通した状態、且つ、ワイヤハーネスＷＨを挟み込んだ状態で互いに一体に組み付けてガイド部３０を構成することができる。
【００８２】
続いて、ガイド部構成部品３０Ｐを組み付けて構成したガイド部３０を取付け部４０に組み付ける。具体的には、ガイド部３０と取付け部４０とを互いに近接させるとともに、ガイド部３０の下部に形成した部材間係合突爪３１を取付け部４０の上面フランジ部４３に形成した部材間係合凹部４１に差し込んで、ガイド部３０と取付け部４０とを互いに係合する。これにより、インナー部材２０は、ワイヤハーネスＷＨをハーネスインナー側挿通孔に挿通した態で互いに一体に組み付けることができる。
【００８３】
そして、インナー部材２０をグロメット本体１０の一端側に備えたコーナーカバー１２にインナー部材２０を嵌め込んでいく。その際に、コーナーカバー１２における開口端大径部１２ａを上面フランジ部４３に対して外側から嵌装させておく。  
これにより、図８（ｅ）に示すように、インナー部材２０は、コーナーカバー１２に嵌装され、グロメット１の端部に備えることができる。
【００８４】
ワイヤハーネスＷＨにおけるインナー部材２０の取付け部４０側から外側へ配索された配索部分を、貫通孔１１０を通じて隔壁１００に対して反対側へと配索させておく（図示せず）。そして、コーナーカバー１２に嵌装されたインナー部材２０における取付け部４０を隔壁１００の貫通孔１１０に嵌め込むことで、図３に示すように、隔壁係合突片４４を貫通孔１１０の縁部１１１に係合し、貫通孔１１０に対して取付け部４０を嵌装させることができる。
【００８５】
このとき、開口端大径部１２ａの周縁部から突出したシールリップ部１２ｂの先端側が貫通孔１１０の縁部１１１に当接することで、グロメット１の貫通孔１１０への取付け部分において、グロメット１内部の防水性、及び防塵性を確保することができる。
【００８６】
さらに、上述したように、グロメット本体１０のコーナーカバー１２内部において、ストラップ装着溝１５と締め付け溝３６が対応する位置となるようにガイド先端部３３がコーナーカバー１２と蛇腹部１４とに跨ぐ態様でインナー部材２０が配置された状態で、締め付け溝３６に対してストラップ５０を締め付けるように装着することで、ストラップ５０による締め付け圧力によってストラップ装着溝１５部分が縮径して、ガイド部３０のガイド先端部３３に形成した締め付け溝３６に食い込み、コーナーカバー１２に対してガイド部３０を、つまりインナー部材２０を固定することができる。
【００８７】
上述したグロメット１が奏する作用効果について説明する。  
実施形態のグロメット１、及びグロメット１を端部に備えたインナー部材２０は、上述したように、所望の配索方向にワイヤハーネスＷＨを確実にガイドすることができるとともに、ワイヤハーネスＷＨに負荷をかけずにスムーズに挿通することができる。
【００８８】
詳しくは、ワイヤハーネスＷＨは、隔壁１００に沿って平行に配索されるとともに、隔壁１００における貫通孔形成箇所においては、貫通孔１１０に対してワイヤハーネスＷＨを挿通した状態で配索されるため、貫通孔形成箇所においてワイヤハーネスＷＨの長手方向における貫通孔１１０への挿通部分に対して両側部分は、方向転換のために屈曲した状態で配索される。
【００８９】
しかし、ワイヤハーネスＷＨの長手方向における貫通孔１１０への挿通部分に対して両側部分が確実に屈曲せずに、緩やかな曲率で屈曲した軌道を描きながら配索された場合には、貫通孔形成箇所においてワイヤハーネスＷＨが嵩張るため、車両の省スペース化を図るうえで支障を来すことになる。
【００９０】
これに対して、本実施形態のインナー部材２０における特にガイド部３０は、ガイド側挿通孔３０Ｈの孔形成方向を、貫通孔１１０に対して取付け部４０を嵌め込む嵌め込み方向ＺにワイヤハーネスＷＨをガイド可能な成分と、嵌め込み方向Ｚに対して直交方向Ｘに交差する方向にワイヤハーネスＷＨをガイド可能な成分とを有した孔形状で形成するとともに、さらに、グロメット本体１０は、ゴムや軟質樹脂で形成しているのに対して、また、インナー部材２０を、硬質樹脂などにより形成することにより、ワイヤハーネスＷＨをガイド可能にグロメット本体１０よりも形状保持性が高くなるように形成している。
【００９１】
このため、貫通孔形成箇所においてワイヤハーネスＷＨの長手方向における貫通孔１１０への挿通部分に対して両側部分を屈曲させる場合であっても、ガイド部３０において屈曲部分が大きな曲率にならないように、ワイヤハーネスＷＨの配索方向の方向転換が可能にワイヤハーネスＷＨをガイドしてワイヤハーネスＷＨをコンパクトに配索することができる。
【００９２】
換言すると、管状のグロメット本体１０と、グロメット本体１０における直線部１１の両端に備えたコーナーカバー１２に内在し、グロメット本体１０よりも形状保持性が高いインナー部材２０とで構成し、ワイヤハーネスＷＨを挿通するグロメット１の直線部１１を、断面円形に形成するとともに、長さ方向中央の円筒部１３と、円筒部１３の両側に設けた蛇腹部１４とで構成したことにより、所望の配索方向に沿ってワイヤハーネスＷＨをグロメット１で確実にガイドすることができる。
【００９３】
詳しくは、管状のグロメット本体１０における直線部１１の両端に備えたコーナーカバー１２に内在し、グロメット本体１０よりも形状保持性が高いインナー部材２０によって、ワイヤハーネスＷＨを所望の配索方向に曲げるとともに、曲げ状態を確実に保持することができる。
【００９４】
また、直線部１１によって、配索方向に向かって曲げられたワイヤハーネスＷＨを配索方向に沿ってガイドするが、直線部１１を断面剛性の高い断面円形に形成しているため、断面のいずれの方向に対しても直線部１１が意図せずに変形することなく、確実にワイヤハーネスＷＨをガイドすることができる。
【００９５】
また、直線部１１を、長さ方向中央の円筒部１３と、円筒部１３の両側に設けた蛇腹部１４とで構成しているため、つまり円筒部１３とインナー部材２０との間に変形性の高い蛇腹部１４を配置しているため、インナー部材２０によって配索方向に向けて曲げられたワイヤハーネスＷＨの曲げ形状に沿って蛇腹部１４が変形することで、ワイヤハーネスＷＨを屈曲させたり、余分な負荷をかけることなく、ワイヤハーネスＷＨを円筒部１３までガイドすることができる。
【００９６】
さらに、蛇腹部１４によって、円筒状の円筒部１３までガイドされたワイヤハーネスＷＨが、仮に自重や振動などによって変形しても、蛇腹部１４を介して、形状保持性の高いインナー部材２０に支持された円筒部１３は、ワイヤハーネスＷＨの変形に追従することなく、確実に支持することができる。
【００９７】
詳しくは、グロメット１に挿通されるとともに、形状保持性の高いインナー部材２０によって配索方向に曲げられ、そして、直線部１１の内部に配置されたワイヤハーネスＷＨは、形状保持性の高いインナー部材２０によって配索方向に曲げられた両側が支持された単純梁構造となり、直線部１１の内部に配置された部分の中央が最も撓み変形しやすくなる。しかしながら、もっとも撓み変形やすい中央部分を、変形しにくい円筒部１３で支持しているため、自重や振動によって撓み変形することなく、確実にガイドでき、自重や振動に起因する撓み変形によってワイヤハーネスＷＨに引っ張り力が作用することを防止することができる。
【００９８】
このように、インナー部材２０によって配索方向に向けて曲げられたワイヤハーネスＷＨに余分な負荷を作用させたり、ワイヤハーネスＷＨを屈曲させたりすることなく蛇腹部１４によって円筒部１３までガイドするとともに、ワイヤハーネスＷＨの変形に追従することのない円筒部１３によって確実に支持でき、ワイヤハーネスＷＨの電気接続性を維持することができる。
【００９９】
なお、円筒部１３を、直線部１１の長さに対して半分程度の長さに形成しているため、インナー部材２０によって配索方向に向けて曲げられたワイヤハーネスＷＨに余分な負荷を作用させたり、ワイヤハーネスＷＨを屈曲させたりすることなく蛇腹部１４によって円筒部１３までガイドするとともに、ワイヤハーネスＷＨの変形に追従することのない円筒部１３によって確実に支持でき、ワイヤハーネスＷＨの電気接続性を維持することができる。
【０１００】
詳しくは、円筒部１３を、直線部１１の長さに対して半分程度の長さより長くすると、直線部１１の両側に配置した蛇腹部１４が短くなるため、ワイヤハーネスＷＨの形状に沿うための変形許容量が少なくなり、インナー部材２０によって配索方向に向けて曲げられたワイヤハーネスＷＨを直線部１１にガイドする際に、ワイヤハーネスＷＨに余分な負荷を作用させたり、ワイヤハーネスＷＨを屈曲させたりするおそれがある。逆に、円筒部１３を、直線部１１の長さに対して半分程度の長さより短くすると、直線部１１の両側に配置した蛇腹部１４が長くなるため、自重や振動によるワイヤハーネスＷＨの変形に沿って蛇腹部１４が変形し、つまり変形しにくい直線部１１全体がワイヤハーネスＷＨの変形に追従することとなり、ワイヤハーネスＷＨを確実に支持することができないおそれがある。
【０１０１】
これに対し、円筒部１３を、直線部１１の長さに対して半分程度の長さに形成することによって、インナー部材２０によって配索方向に向けて曲げられたワイヤハーネスＷＨに余分な負荷を作用させたり、ワイヤハーネスＷＨを屈曲させたりすることなく蛇腹部１４によって円筒部１３までガイドするとともに、ワイヤハーネスＷＨの変形に追従することのない円筒部１３によって確実に支持して、ワイヤハーネスＷＨの電気接続性を確実に維持することができる。
【０１０２】
また、コーナーカバー１２の直線部１１側に設けたストラップ装着溝１５に、内在するインナー部材２０に対して締め付けて固定するストラップ５０を装着することにより、内在するインナー部材２０を確実に固定し、上述したような直線部１１における効果を確実に実現することができる。
【０１０３】
仮に、コーナーカバー１２からインナー部材２０が外れると、貫通孔に装着されたインナー部材２０とコーナーカバー１２との間でワイヤハーネスＷＨが露出したり、水分や粉塵が侵入したりして、確実に内部に挿通するワイヤハーネスＷＨを保護することができなくなる。逆に、インナー部材２０がコーナーカバー１２より直線部１１側に進入する態様で外れた場合、直線部１１を構成する蛇腹部１４が十分に機能しなくなるおそれがある。
【０１０４】
これに対し、内在するインナー部材２０に対して締め付けて固定するストラップ５０をストラップ装着溝１５に装着することによって、コーナーカバー１２に対して、内在するインナー部材２０を確実に固定できるため、防止性や防塵性を確保しながら、インナー部材２０によって配索方向に向けて曲げられたワイヤハーネスＷＨに余分な負荷を作用させたり、ワイヤハーネスＷＨを屈曲させたりすることなく蛇腹部１４によって円筒部１３までガイドするとともに、ワイヤハーネスＷＨの変形に追従することのない円筒部１３によって確実に支持でき、ワイヤハーネスＷＨの電気接続性を維持することができる。
【０１０５】
また、取り付ける貫通孔へ嵌め込む取付け部４０と、ワイヤハーネスＷＨを曲げ方向にガイドするガイド側挿通孔３０Ｈを有する中空のガイド部３０とで構成するとともに、取付け部４０とガイド部３０とを別体構成したインナー部材２０は、所望の配索方向にワイヤハーネスＷＨを確実にガイドすることができるとともに、ワイヤハーネスＷＨに負荷をかけずにスムーズに挿通することができる。
【０１０６】
詳しくは、上述した構成によれば、インナー部材２０を、隔壁に形成した貫通孔へ取り付ける取付け部４０と、ワイヤハーネスＷＨをガイドするガイド部３０とが別体構成であるため、ワイヤハーネスＷＨを挿通し、嵌め込み方向と異なる配索方向へ曲げてガイドするガイド部３０と、隔壁の貫通孔に取り付けた取付け部４０とを合体させる、つまり一体化させることで、貫通孔を貫通し、所定の配索経路に沿って配索させるワイヤハーネスＷＨをスムーズに曲げて配索することができる。
【０１０７】
したがって、ガイド部３０と取付け部４０とが一体化されたインナー部材２０にワイヤハーネスＷＨを挿通する場合や、ガイド部３０と取付け部４０とが一体化され、貫通孔に装着されたインナー部材２０にワイヤハーネスＷＨを挿通する場合にくらべて、容易かつ、余分な負荷を作用させることなく、ワイヤハーネスＷＨを配索経路に沿うように曲げてガイドすることができる。
【０１０８】
また、取付け部４０は、嵌め込み方向Ｚに沿って直線状に形成した取付け部側挿通孔４０Ｈを備えて構成しているため、ガイド部３０のように複数の構成部品から分割したように構成せずに一部品で構成しても、ワイヤハーネスＷＨの取付け部側挿通孔４０Ｈへのスムーズな挿通を実現することができる。
【０１０９】
そして、取付け部４０は、一部品で構成していることにより、複数の構成部品を組み付けた場合よりも剛性を高めることができるため、貫通孔１１０の周縁部１１１に確実に嵌挿した状態で取り付けることができる。さらに、インナー部材２０全体としての部品点数を削減して部品管理の効率化を図ることができる。
【０１１０】
しかも、ガイド部３０は、一対のガイド部構成部品３０Ｐａ，３０Ｐｂから構成しているが、単に、一対のガイド部構成部品３０Ｐａ，３０Ｐｂ同士を組み付けて一体にするだけでなく、１部品により構成することで剛性に優れた取付け部４０に対してガイド部構成部品３０Ｐを一体に組み付けることで、インナー部材２０は、全体として優れた剛性を確保することができる。
【０１１１】
また、インナー部材２０を、一対のガイド部構成部品３０Ｐａ，３０Ｐｂを互いに組み付けて構成したガイド部３０と取付け部４０とを係合する部材間係合手段２１（３１，４１）を、ガイド部３０と取付け部４０との係合箇所に形成して構成しているため、部材間係合手段２１によって、一対のガイド部構成部品３０Ｐａ，３０Ｐｂを互いに組み付けて構成したガイド部３０を取付け部４０に対して係合することにより、互いに組み付けた一対のガイド部構成部品３０Ｐａ，３０Ｐｂが意に反して互いに分離することなく、一体に組み付けた係合状態に保つことができる。
【０１１２】
さらに、部材間係合手段２１により、ガイド部３０を取付け部４０に係合した状態に保つことができるため、ガイド部３０と取付け部４０との一体的な組み付け状態を得ることができる。
【０１１３】
このように、部材間係合手段２１によって、一対のガイド部構成部品３０Ｐａ，３０Ｐｂを互いに組み付けて構成したガイド部３０を取付け部４０に対して係合することにより、ガイド部３０と取付け部４０との部材同士の係合状態と、一対のガイド部構成部品３０Ｐａ，３０Ｐｂの構成部品同士の係合状態との２種類の態様の係合状態を１つの係合手段により実現することができる。
【０１１４】
詳しくは、部材間係合手段２１によれば、一対のガイド部構成部品３０Ｐａ，３０Ｐｂのそれぞれに形成した部材間係合突爪３１を、一つの部材からなる剛性の高い取付け部４０に形成した一対の部材間係合凹部４１のそれぞれに係合してガイド部３０と取付け部４０とを組み付けるため、インナー部材２０は、複数部品から構成しているが、部品間の強固な一体性を有している。
【０１１５】
さらに、本実施形態のグロメット１は、一対のガイド部構成部品３０Ｐａ，３０Ｐｂを互いに組み付けた状態に係合する構成部品間係合手段３５（３５ａ，３５ｂ）を、ガイド部構成部品３０Ｐａ，３０Ｐｂ同士の組み付け箇所に形成しているため、構成部品間係合手段３５の係合を解除することで、ガイド部３０を、ガイド部構成部品３０Ｐａ，３０Ｐｂごとに分割面Ｆにおいて分離することができる。
【０１１６】
そして、ガイド部３０におけるガイド側挿通孔３０Ｈの孔形成方向に沿ってワイヤハーネスＷＨを配置し、一対のガイド部構成部品３０Ｐａ，３０ＰｂでワイヤハーネスＷＨを挟み込むようにしてそれぞれの対向端部同士を突き合わせることにより、ワイヤハーネスＷＨをガイド側挿通孔３０Ｈに挿通した状態で構成部品間係合手段３５によって、一対のガイド部構成部品３０Ｐａ，３０Ｐｂを互いに組み付けた状態に係合することができる。
【０１１７】
また、インナー部材２０を、ガイド側挿通孔３０Ｈと取付け部側挿通孔４０Ｈとのそれぞれを、孔形成方向に対して直交する直交面が長孔形状になるように形成し、ガイド側挿通孔３０Ｈを、取付け部側挿通孔４０Ｈに対して、直交断面長孔形状であるそれぞれの長軸Ｌ１，Ｌ２が互いに所定のなす角θで交差する方向となるように形成している（図７（ａ）参照）。
【０１１８】
換言すると、また、インナー部材２０を、ガイド部３０における先端開口部３０Ｈａを、取付け部４０の長軸方向の両側に設けた一対の隔壁係合突片４４を結ぶ係止手段仮想配置ラインに対して、嵌め込み方向Ｚの周りに平面視時計回りに例えば、５度傾けた形状で構成しているため（図７（ａ），（ｃ）参照）、例えば、隔壁１００の面上において、所定間隔を隔てた各箇所に形成した一対の貫通孔１１０の２点間を直線状に結ぶワイヤハーネスＷＨの配索方向が貫通孔１１０の長軸、すなわち、取付け部側挿通孔４０Ｈの長軸Ｌ１に対して所定角度θだけ傾いている場合においても、上述したように、ガイド側挿通孔３０Ｈの長軸Ｌ２を取付け部側挿通孔４０Ｈの長軸に対して上記所定角度に対応させて交差するように、ガイド部３０を形成することによって、一方の貫通孔１１０に嵌挿したインナー部材２０におけるガイド部３０から先端開口部３０Ｈａを通じて外側に配索されたワイヤハーネスＷＨを他方の貫通孔１１０に向けて、スムーズに配索することができる。
【０１１９】
この発明の構成と、実施形態との対応において、この発明のコーナーカバー部は、コーナーカバー１２に対応し、
以下同様に、
ストラップ装着部は、ストラップ装着溝１５に対応し、
ハーネスガイド部は、ガイド部３０に対応し、
ガイド空間は、ガイド側挿通孔３０Ｈに対応し、
組付ガイド部は、ガイド部構成部品３０Ｐ，３０Ｐａ，３０Ｐｂに対応し、
係止部は、部材間係合突爪３１に対応し、
被係止部は、部材間係合凹部４１に対応するも、
この発明は、上述の実施形態の構成のみに限定されるものではなく、請求項に示される技術思想に基づいて応用することができ、多くの実施の形態を得ることができる。  
例えば、また、インナー部材２０を、ガイド側挿通孔３０Ｈの長軸Ｌ２を取付け部側挿通孔４０Ｈの長軸Ｌ１に対して５度のなす角で交差するように形成したが、５度のなす角に限定せず、ワイヤハーネスＷＨの配設方向に応じて任意の角度で交差するように形成してもよい。
【０１２０】
また、上述したように、グロメット本体１０は、インナー部材２０を外装するコーナーカバー１２を備えた構成に限定せず、例えば、直線部１１の端部とインナー部材２０とを直接、接続した構成など、グロメット本体１０の端部側にインナー部材２０を備えた構成であれば特に限定しない。さらに、グロメット本体１０は、直線部１１とコーナーカバー１２とを一体に接続した構成に限定せず、それぞれを別体で形成し、互いの接続端部同士を接続した構成であってもよい。
【０１２１】
さらにまた、ガイド部３０は、２分割して一対のガイド部構成部品３０Ｐａ，３０Ｐｂで構成したが、３以上の部材に分割して構成してもよい。  
また、部材間係合手段２１は、ガイド部構成部品３０Ｐに部材間係合突爪３１を形成するとともに、取付け部４０に部材間係合凹部４１を形成したが、この構成に限定せず、ガイド部３０と取付け部４０とで部材間係合突爪３１と部材間係合凹部４１とを逆に形成してもよい。
【０１２２】
同様に、構成部品間係合手段３５は、一方のガイド部構成部品３０Ｐａに構成部品間係合突片３５ａを形成するとともに、他方のガイド部構成部品３０Ｐｂに構成部品間係合凹部３５ｂを形成したが、この構成に限定せず、一方のガイド部構成部品３０Ｐａと他方のガイド部構成部品３０Ｐｂとで構成部品間係合突片３５ａと構成部品間係合凹部３５ｂとを逆に形成してもよい。
【符号の説明】
【０１２３】
１…グロメット
１０…グロメット本体
１１…直線部
１２…コーナーカバー
１３…円筒部
１４…蛇腹部
１５…ストラップ装着溝
２０…インナー部材
３０…ガイド部
３０Ｈ…ガイド側挿通孔
３０Ｐ，３０Ｐａ，３０Ｐｂ…ガイド部構成部品
３１…部材間係合突爪
４０…取付け部
４１…部材間係合凹部
５０…ストラップ
ＷＨ…ワイヤハーネス
【図１】
2016086520.tif 000003
【図２】
2016086520.tif 000004
【図３】
2016086520.tif 000005
【図４】
2016086520.tif 000006
【図５】
2016086520.tif 000007
【図６】
2016086520.tif 000008
【図７】
2016086520.tif 000009
【図８】
2016086520.tif 000010
【図９】
2016086520.tif 000011